(57)【要約】【課題】映像信号の伝送遅延時間を正確に測定して遠隔操縦者に的確に知らせることができる新規な建設機械の遠隔操縦用映像伝送システムの提供。【解決手段】作業現場１を撮影してその映像信号を遠隔にある操縦室２に伝送する遠隔操縦用映像伝送システム１００であって、前記作業現場１と操縦室２とに、通信遅延時間を測定する信号を互いに送受信するための測定信号用送受信機１１，２１をそれぞれ備え、測定信号の遅延時間を基準として前記作業現場１から操縦室２へ伝送される映像信号の伝送遅延時間を測定する。これによって、映像信号の伝送遅延時間を正確に測定してそれを操縦室２にいる遠隔操縦者５に的確に知らせることができる【選択図】図１
2016072727.tif 000002
【特許請求の範囲】
【請求項１】
作業現場にある遠隔操縦可能な建設機械およびその周囲を作業現場用カメラで撮影してその映像信号を遠隔にある操縦室に伝送する遠隔操縦用映像伝送システムであって、
前記建設機械またはその作業現場と前記操縦室とに、通信遅延時間を測定する信号を互いに送受信するための測定信号用送受信機をそれぞれ備えると共に、
前記信号用送受信機間の測定信号の遅延時間を基準として前記作業現場から前記操縦室へ伝送される映像信号の伝送遅延時間を測定する映像遅延時間測定装置を備えたことを特徴とする建設機械の遠隔操縦用映像伝送システム。
【請求項２】
請求項１に記載の建設機械の遠隔操縦用映像伝送システムにおいて、
前記操縦室を撮影する操縦室用カメラを備え、
前記各測定信号用送受信機は、それぞれ信号の送受信状態を表示する送受信表示部を有し、
前記作業現場用カメラは、前記測定信号用送受信機の送受信表示部を含む前記作業現場を撮影し、
前記操縦室用カメラは、前記操縦室に配置された測定信号用送受信機の送受信表示部と前記作業現場から前記操縦室に伝送されてきた映像信号からなる作業現場の映像とを１つの画面に取り込むように撮影し、
前記映像遅延時間測定装置は、前記測定信号用送受信機間の信号の遅延時間と、前記操縦室用カメラで撮影された各送受信表示部の表示状態に基づいて前記作業現場から伝送されてきた映像信号の伝送遅延時間を測定することを特徴とする建設機械の遠隔操縦用映像伝送システム。
【請求項３】
請求項１または２に記載の建設機械の遠隔操縦用映像伝送システムにおいて、
前記操縦室に前記作業現場から伝送されてきた映像信号から作業現場の映像を表示する遠隔操縦用モニタを設け、
前記映像遅延時間測定装置は、測定された前記作業現場から伝送されてきた映像信号の伝送遅延時間を前記遠隔操縦用モニタ上に表示することを特徴とする建設機械の遠隔操縦用映像伝送システム。
【請求項４】
請求項３に記載の遠隔操縦用映像伝送システムにおいて、
前記映像遅延時間測定装置は、測定された前記作業現場から伝送されてきた映像信号の伝送遅延時間をその大きさで複数にレベル分けし、そのレベルを前記遠隔操縦用モニタ上に表示することを特徴とする建設機械の遠隔操縦用映像伝送システム。
【請求項５】
請求項１乃至４のいずれかに記載の建設機械の遠隔操縦用映像伝送システムにおいて、
前記作業現場用カメラと前記作業現場に配置される測定信号用送受信機とを一体化すると共に、前記作業現場の映像を表示するモニタと前記操縦室に配置される信号用送受信機とを一体化したことを特徴とする建設機械の遠隔操縦用映像伝送システム。
【発明の詳細な説明】
【技術分野】
【０００１】
本発明は、油圧ショベルなどの建設機械の遠隔操縦用映像伝送システムに関するものである。
【背景技術】
【０００２】
従来の油圧ショベルなどの建設機械は、作業員がその建設機械に搭乗して操縦するのが一般的であるが、最近では建設機械やその作業現場にカメラを設置し、そのカメラで撮影された映像を見ながら遠隔にある操縦室から無線通信回線などを介して遠隔で操縦するシステムが開発されている。
【０００３】
このような遠隔操縦システムにあっては、カメラや通信機器の性能あるいは通信回線の状態などによって表示する映像の品質に影響を及ぼし、映像遅延が発生することがある。映像遅延自体は慣れれば遠隔操縦上ある程度許容できるものの、その程度を正確に把握できないと作業効率が著しく低下する。
【０００４】
そのため、例えば以下の特許文献１には２台のモニタを用いて基準映像と遅延映像を同時に表示し、表示された２つの映像を分析することで映像遅延時間を算出する方法が提案されている。また、以下の特許文献２には操縦室から遠隔地に制御信号を送信し、遠隔地では制御信号に基づいてランプを点灯し、その様子を撮影した映像を操縦室に伝送し、操縦室の制御信号の送信と遠隔地から操縦室に伝送された映像のなかのランプ映像が点灯するタイミングとの時間のずれを測定することにより、映像の遅延時間を検知、測定する方法が提案されている。
【先行技術文献】
【特許文献】
【０００５】
【特許文献１】特許第４２５１９７９号公報
【特許文献２】特開２０１２−１４２７７８９号公報
【発明の概要】
【発明が解決しようとする課題】
【０００６】
ところで、映像遅延時間を測定するためには基準映像と遅延映像を同一のタイミングで比較する必要があり、そのためには基準映像と遅延映像の時間軸を合わせる必要がある。しかしながら、前記公知例では時間軸を合わせるために基準映像を表示するモニタと遅延映像を表示するモニタおよび２台のモニタを撮影するカメラを同一の場所に設置する必要があり、遠隔地の作業現場にある伝送前の基準映像と通信回線を伝送されてきた操縦室で表示する遅延映像は同一のタイミングで比較することはできない。そのため、遠隔地から伝送される映像の遅延時間の測定は困難であり、操縦者に映像遅延時間の提示を行うことはできない。
【０００７】
また、遠隔地と操縦室との間で映像信号遅延の他に通信遅延が存在するので遠隔地と操縦室の絶対時刻の同期を行う必要があり、その同期がとれない環境では映像遅延時間の測定を行うことができない。この同期はＧＰＳ時刻信号を使用する方法や時刻同期サーバを設置する方法など高価かつ高度なシステムが必要であり、全ての遠隔作業現場および移動式建設機械で導入するのは困難である。
【０００８】
そこで、本発明はこれらの課題を解決するために案出されたものであり、その目的は、映像信号の伝送遅延時間を正確に測定して遠隔操縦者に的確に知らせることができる新規な建設機械の遠隔操縦用映像伝送システムを提供するものである。
【課題を解決するための手段】
【０００９】
前記課題を解決するために第１の発明は、作業現場にある遠隔操縦可能な建設機械およびその周囲を作業現場用カメラで撮影してその映像信号を遠隔にある操縦室に伝送する遠隔操縦用映像伝送システムであって、前記建設機械またはその作業現場と前記操縦室とに、通信遅延時間を測定する信号を互いに送受信するための測定信号用送受信機をそれぞれ備えると共に、前記信号用送受信機間の測定信号の遅延時間を基準として前記作業現場から前記操縦室へ伝送される映像信号の伝送遅延時間を測定する映像遅延時間測定装置を備えたことを特徴とする建設機械の遠隔操縦用映像伝送システムである。
【００１０】
このような構成によれば、作業現場と操縦室にそれぞれ配置された信号用送受信機間の測定信号の遅延時間を基準として作業現場から操縦室へ伝送される映像信号の伝送遅延時間を測定することから、映像信号の伝送遅延時間を正確に測定して操縦室にいる遠隔操縦者に的確に知らせることができる。
【００１１】
第２の発明は、第１の発明において、前記操縦室を撮影する操縦室用カメラを備え、前記各測定信号用送受信機は、それぞれ信号の送受信状態を表示する送受信表示部を有し、前記作業現場用カメラは、前記測定信号用送受信機の送受信表示部を含む前記作業現場を撮影し、前記操縦室用カメラは、前記操縦室に配置された測定信号用送受信機の送受信表示部と前記作業現場から前記操縦室に伝送されてきた映像信号からなる作業現場の映像とを１つの画面に取り込むように撮影し、前記映像遅延時間測定装置は、前記測定信号用送受信機間の信号の遅延時間と、前記操縦室用カメラで撮影された各送受信表示部の表示状態に基づいて前記作業現場から伝送されてきた映像信号の伝送遅延時間を測定することを特徴とする建設機械の遠隔操縦用映像伝送システムである。
【００１２】
このような構成によれば、映像遅延時間測定装置が操縦室用カメラで撮影された各送受信表示部の表示状態を画像認識することにより、測定信号用送受信機間の信号の遅延時間と、操縦室用カメラで撮影された各送受信表示部の表示状態に基づいて作業現場から伝送されてきた映像信号の伝送遅延時間を迅速且つ正確に測定することができる。
【００１３】
第３の発明は、第１または第２の発明において、前記操縦室に前記作業現場から伝送されてきた映像信号から作業現場の映像を表示する遠隔操縦用モニタを設け、前記映像遅延時間測定装置は、測定された前記作業現場から伝送されてきた映像信号の伝送遅延時間を前記遠隔操縦用モニタ上に表示することを特徴とする建設機械の遠隔操縦用映像伝送システムである。このような構成によれば、操縦室にいる遠隔操縦者が遠隔操縦用モニタに映った作業現場の映像と共にその映像の伝送遅延時間を容易かつ正確に把握することができる。
【００１４】
第４の発明は、第３の発明において、前記映像遅延時間測定装置は、測定された前記作業現場から伝送されてきた映像信号の伝送遅延時間をその大きさで複数にレベル分けし、そのレベルを前記遠隔操縦用モニタ上に表示することを特徴とする建設機械の遠隔操縦用映像伝送システムである。このような構成によれば、操縦室にいる遠隔操縦者が遠隔操操縦用モニタに映った作業現場の映像と共にそのレベルを見るだけでその遅延時間を容易に把握することができる。
【００１５】
第５の発明は、第１乃至第４のいずれかの発明において、前記作業現場用カメラと前記作業現場に配置される測定信号用送受信機とを一体化すると共に、前記作業現場の映像を表示するモニタと前記操縦室に配置される信号用送受信機とを一体化したことを特徴とする建設機械の遠隔操縦用映像伝送システムである。このように一体化することで設置スペースを小さくしたり、部品点数を削減できるためコストの削減に寄与できる。
【発明の効果】
【００１６】
本発明によれば、作業現場と操縦室にそれぞれ配置された信号用送受信機間の測定信号の伝送遅延時間を基準として作業現場から操縦室へ伝送される映像信号の伝送遅延時間を測定することから、映像信号の伝送遅延時間を正確に測定して操縦室にいる遠隔操縦者に的確に知らせることができる。これにより、操縦室にいる遠隔操縦者は効率的な遠隔操縦が可能となる。
【図面の簡単な説明】
【００１７】
【図１】本発明に係る建設機械の遠隔操縦用映像伝送システム１００の実施の一形態を示す全体構成図である。
【図２】（Ａ）は作業現場１に配置される測定信号用送受信機１１、（Ｂ）は操縦室２に配置される測定信号用送受信機２１を示す正面図である。
【図３】本発明に係る建設機械の遠隔操縦用映像伝送システム１００による映像遅延時間の測定方法の一例を示す説明図である。
【図４】本発明に係る建設機械の遠隔操縦用映像伝送システム１００による映像遅延時間の測定方法の他の例を示す説明図である。
【発明を実施するための形態】
【００１８】
次に、本発明の実施の形態を添付図面を参照しながら説明する。図１は本発明に係る建設機械の遠隔操縦用映像伝送システム１００の実施の一形態を示したものである。図において符号１は作業現場、２はこの作業現場から遠隔にある操縦室である。ここで遠隔とは距離的に特に限定されるものでなく例えば数十ｍから数百ｋｍ以上の距離はもちろん、地上と地下、あるいはある国と他の国または地球と月との間、その他の惑星間などを含む概念である。
【００１９】
作業現場１には作業現場用の測定信号用送受信機（以下、「作業現場用通信機」と称す）１１と、その作業現場を作業現場用通信機１１が同一画面に入るように撮影する作業現場用カメラ１２と、遠隔操縦される移動式建設機械１３とが配置されている。一方、操縦室２には操縦室用の測定信号用送受信機（以下、「操縦室用通信機」と称す）２１と、操縦室２内を撮影する操縦室用カメラ２２と、遠隔操縦者が目視する遠隔操縦用モニタ２３と、映像遅延確認用モニタ２４と、映像遅延時間測定装置２５と、遠隔操縦者５が操縦する遠隔操縦用コントローラ２６とが配置されている。
【００２０】
作業現場１と操縦室２とは衛星通信回線や携帯電話網などの通信回線４を介して双方向通信可能に接続されており、作業現場用通信機１１と操縦室用通信機２１とは互いにこの通信回線４を介して遅延時間測定信号の送受信が行われる。また、作業現場１に設置してある作業現場用カメラ１２で撮影した映像信号も同じくこの通信回線４を介して操縦室２内に設置してある遠隔操縦用モニタ２３と映像遅延確認用モニタ２４とに送られて表示される。そして、図示するようにこれら遠隔操縦用モニタ２３および映像遅延確認用モニタ２４の画面には、作業現場の映像と共にそこに配置された現場用通信機１１の映像が同時に映し出されるようになっている。
【００２１】
また、遠隔操縦用信号もこの通信回線４を介して作業現場１にある移動式建設機械１３に送られる。従って、操縦室２内にいる操縦者５はこの遠隔操縦用モニタ２３を見ながら遠隔操縦用コントローラ２６を操縦してその操縦信号を通信回線４を通じて作業現場１に送信して移動式建設機械１３を遠隔操縦するようになっている。すなわち、この作業現場１と操縦室２との間では少なくもこの遠隔操縦用信号と、映像信号と、遅延時間測定信号といった３種類の信号が通信回線４を介して送信されるようになっている。
【００２２】
現場用通信機１１と操縦室用通信機２１の正面には、図２（Ａ）、（Ｂ）に示すようにそれぞれ送受信表示部１１Ａ、２１Ａが明確に判別可能に大きく設けられている。この送受信表示部１１Ａ、２１Ａは、通信遅延時間を測定する信号（以下、測定信号と称す）を送信すると同時に点灯する送信表示部（図では三角形）１１ａ、２１ａと、測定信号を受信すると同時に点灯する受信表示部（図では円形）１１ｂ、２１ｂからなっている。
【００２３】
そして、例えば現場用通信機１１から操縦室用通信機２１に対して測定信号が発信されるとそれと同時に現場用通信機１１の送受信表示部１１Ａの送信表示部１１ａが点灯し、その後、その信号を受信した操縦室用通信機２１の送受信表示部２１Ａの受信表示部２１ｂが点灯するようになっている。これとは逆に操縦室用通信機２１から現場用通信機１１に対して測定信号が発信されるとそれと同時に操縦室用通信機２１の送受信表示部２１Ａの送信表示部２１ａが点灯し、その後その信号を受信した現場用通信機１１の送受信表示部１１Ａの受信表示部１１ｂが点灯するようになっている。なお、この送受信はその表示部の形状だけでなく色彩などで区別するようにしても良い。
【００２４】
図１に戻り、操縦室用カメラ２２は、操縦室２内に配置された映像遅延確認用モニタ２４に映し出される映像３１とその近傍に配置された操縦室用通信機２１とが同一画面に入るように撮影し、撮影した映像３を同じく操縦室２内に配置された映像遅延時間測定装置２５に入力するようになっている。一方、この映像遅延時間測定装置２５は、後述するように入力された映像遅延確認用モニタ２４の映像３１に含まれている現場用通信機１１と操縦室用通信機２１の送受信表示部１１Ａ（１１ａ、１１ｂ）、２１Ａ（２１ａ、２１ｂ）の点滅動作を認識して映像信号の伝送遅延時間を計測し、得られた映像信号の伝送遅延時間を遠隔操縦用モニタ２３に表示して遠隔操縦者５に知らせるようになっている。具体的にはこの映像遅延時間計測装置２５はこれら一連の作業を行う画像処理ソフトが組み込まれた専用又は汎用のコンピュータなどから構成されている。
【００２５】
次に、この映像信号の伝送遅延時間について図３および図４を参照しながら説明する。図３において時刻ｔ０は測定開始前の状態を示す。時刻ｔ１はその後に操縦室用通信機２１が通信回線４を通じて作業現場用通信機１１に対して測定信号を送信した時刻を示す。時刻ｔ０では、現場用通信機１１と操縦室用通信機２１の送受信表示部１１Ａ（１１ａ、１１ｂ）、２１Ａ（２１ａ、２１ｂ）はいずれも消灯した状態となっているが、時刻ｔ１では、操縦室用通信機２１が測定信号を送信することによって送信表示部２１ａが点灯し、それが操縦室用カメラ２２で撮影された撮影映像３に映っている状態を示している。
【００２６】
時刻ｔ２は、その後この測定信号を現場用通信機１１が受信した時刻を示す。時刻ｔ２では、この測定信号を受信した現場用通信機１１の受信表示部１１ｂが点灯しているが、その映像信号はまだ操縦室２側に届いていないため、映像遅延確認用モニタ２４の映像３１および撮影映像３に含まれる現場用通信機１１の受信表示部１１ｂはいずれも消灯した状態となっている。
【００２７】
時刻ｔ３は、その後時刻ｔ２における作業現場１の映像信号が操縦室２側に届いた時刻を示す。時刻ｔ３では、映像遅延確認用モニタ２４の映像３１および撮影映像３に含まれる現場用通信機１１の受信表示部１１ｂはいずれも点灯した状態となっている。
【００２８】
時刻ｔ４は、その後時刻ｔ３における作業現場１の現場用通信機１１が測定信号を発信した時刻を示す。時刻ｔ４では、現場用通信機１１の発信表示部１１ａが点灯しているが、その測定信号および映像信号は操縦室２側には届いていないため、操縦室用通信機２１の送受信表示部２１Ａ、および映像遅延確認用モニタ２４の映像３１ならびに撮影映像３に映っている現場用通信機１１と操縦室用通信機２１の送受信表示部１１Ａ（１１ａ、１１ｂ）、２１Ａ（２１ａ、２１ｂ）は、いずれも消灯した状態となっている。
【００２９】
時刻ｔ５は、その後操縦室２の操縦室用通信機２１が測定信号を受信した時刻を示す。時刻ｔ５では、測定信号を受信することによって操縦室用通信機２１の受信表示部２１ｂが点灯しているが、映像信号はこの測定信号よりも届くのが遅いため、映像遅延確認用モニタ２４に映し出された映像３１に映っている現場用通信機１１の発信表示部１１ａは消灯したままとなっている。
【００３０】
時刻ｔ６は、その後操縦室２に作業現場１から映像信号が届いた時刻を示す。時刻ｔ６では、映像遅延確認用モニタ２４の映像３１ならびに撮影映像３に映っている現場用通信機１１の送信表示部１１ａは、いずれも点灯した状態となっている。
【００３１】
（測定信号の伝送遅延時間測定）
次に、上述したような伝送遅延現象が生ずる伝送システムにおける現場用通信機１１と操縦室用通信機２１間における測定信号の伝送遅延時間の測定方法について説明する。先ず、現場用通信機１１と操縦室用通信機２１は、それぞれ他方から遅延時間測定信号を受信すると、一定時間Ｔ２経過後に他方に対して遅延時間測定信号を送信する。Ｔ２はウェイト時間であり、設定値を既知の値として把握しておく。
【００３２】
その後、現場用通信機１１もしくは操縦室用通信機２１は通信回線４を通じて他方に対して測定信号を送信すると、この信号は時間Ｔ１経過後に他方で受信される。測定信号を受信した他方の通信機は、ウェイト時間Ｔ２経過後に、最初に送信を行った通信機に対して測定信号を送信する。他方の通信機から送信された測定信号は、時間Ｔ１経過後に最初に送信を行った通信機で受信される。
【００３３】
最初に送信を行った通信機は、測定信号を他方の通信機に送信後、ウェイト時間Ｔ２経過後に、他方の通信機から送信されてきた測定信号を受信するまでの時間を計測する。この総時間をＴとすると、Ｔは通信機で測定する時間であり、Ｔ２は既知の設定値なので通信信号の遅延時間Ｔ１は、以下の式で求められる。
Ｔ１＝（Ｔ−Ｔ２）／２
【００３４】
そして、このようにして求められた通信遅延時間Ｔ１を映像遅延時間測定装置２５に入力する。なお、このようにして得られた通信信号の遅延時間Ｔ１は、現場用通信機１１と操縦室用通信機２１とのいずれか一方で測定した通信遅延時間を採用しても良いし、あるいは両方で測定した通信遅延時間との平均値を採用しても良い。
【００３５】
（映像信号の伝送遅延時間測定）
次に、上述したような測定信号の伝送遅延現象が生ずる伝送システムにおける作業現場１と操縦室２間の映像信号の伝送遅延時間の測定方法について説明する。操縦室２に配置された映像遅延時間測定装置２５は、入力された撮影映像３のうち、映像遅延確認用モニタ２４の映像３１に含まれる現場用通信機１１の送受信表示部１１ａ、１１ｂ、および操縦室用通信機２１の送受信表示部２１ａ、２１ｂの点灯および消灯状態を認識し、操縦室用通信機２１の送信表示部２１ａが点灯する時刻を時刻ｔ１として記憶する。
【００３６】
その後、この映像遅延時間測定装置２５は、引き続き映像遅延確認用モニタ２４の映像３１を監視し、この映像３１から現場用通信機１１の受信表示部１１ｂが点灯したことを認識したならば、その時刻を時刻ｔ３として記憶し、時刻ｔ１から時刻ｔ３までの経過時間を測定する。測定した経過時間をｔ’とする。
【００３７】
この場合、実際の映像遅延時間は、作業現場用通信機１１の受信表示部１１ｂが実際に点灯してからそれが操縦室２の遠隔操縦用モニタ２４の映像３１に表示されるまでの時間、すなわち時刻ｔ２から時刻ｔ３までにかかる時間であるのでこの時間をｔ（＜ｔ’）とする。
【００３８】
操縦室２において把握できる時間は、前述した時刻ｔ１から時刻ｔ３までの経過時間であるｔ’と、既知の通信信号の遅延時間Ｔ１、すなわち時刻ｔ１から時刻ｔ２までにかかる時間であるから、実際の映像遅延時間ｔは以下のようにして求められる。
ｔ＝ｔ’−Ｔ１
【００３９】
その後、映像遅延時間測定装置２５はこのようにして求めた映像遅延時間ｔを遠隔操縦用モニタ２３に表示して操縦者５に映像遅延時間の通知を行うことになる。そして、操縦者５はこの遠隔操縦用モニタ２３に表示された映像遅延時間を考慮したコントローラ２５の操縦を行うことで効率的な遠隔操縦を行うことができる。
【００４０】
ここで、この映像遅延時間ｔの表示は、その時間ｔそのものを数値で表示しても良いが、その映像遅延時間ｔをその長さで複数にレベル分けし、そのレベルを遠隔操縦用モニタ２３に表示するようにしても良い。また、このレベル表示は、例えば数字やアルファベットのような文字であっても良く、あるいは画面の一部を着色し、その色分けで表示するようにしても良い。例えば遅延時間が１秒未満のときは、文字「Ａ」の表示または画面の一部を「緑色」に着色し、遅延時間が１秒〜３秒未満のときは文字「Ｂ」の表示または画面の一部を「黄色」に着色し、遅延時間が３秒以上のときは文字「Ｃ」の表示または画面の一部を「赤色」に着色するようにして表示しても良い。
【００４１】
この映像遅延時間ｔの測定方法としてはさらに別の方法を採用しても良い。例えば映像遅延時間測定装置２５は、遠隔操縦用モニタ２４の映像３１に含まれる作業現場用通信機１１の送受信表示部１１ａ、１１ｂと操縦室用通信機２１の送受信表示部２１ａ、２１ｂとのうち、操縦室用通信機２１の受信表示部２１ｂが点灯する時刻を時刻ｔ５として記憶する。
【００４２】
その後、映像遅延時間測定装置２５は、遠隔操縦用モニタ２４の映像３１に含まれる作業現場用通信機１１の送信表示部１１ａが点灯した時刻を時刻ｔ６として記憶し、時刻ｔ５から時刻ｔ６までの経過時間を測定する。測定した時間をｔ”とする。この場合、実際の映像遅延時間は、作業現場用通信機１１の送信表示部１１ａが実際に点灯してから操縦室２の遠隔操縦用モニタ２４の映像３１に含まれる作業現場用通信機１１の送信表示部１１ａが点灯するまでの時間、すなわち時刻ｔ４から時刻ｔ６までの時間であるのでこの時間をｔとする、
【００４３】
操縦室２において把握できる時間は前述の時間ｔ”および既知の通信遅延時間Ｔ１、すなわち時刻ｔ４から時刻ｔ５までにかかる時間であり、実際の映像遅延時間ｔは以下のようにして求められる。
ｔ＝ｔ”＋Ｔ１
【００４４】
そして、このようにして求められた映像遅延時間Ｔを前記のように遠隔操縦用モニタ２３に数値またはレベル分けした状態で表示するようにしても良い。また、作業現場用カメラ１２と作業現場用通信機１１とを一体化したり、操縦室２に配置される映像遅延確認用モニタ２４と操縦室用通信機２１とを一体化しても良い。このように一体化することで設置スペースを小さくしたり、部品点数を削減できるためコストの削減に寄与できる。
【符号の説明】
【００４５】
１００…建設機械の遠隔操縦用映像伝送システム
１…作業現場
２…操縦室
３…撮影映像
４…通信回線
５…操縦者
１１…測定信号用送受信機（作業現場用通信機）
１１Ａ…送受信表示部
１１ａ…送信表示部
１１ｂ…受信表示部
１２…作業現場用カメラ
１３…移動式建設機械
２１…測定信号用送受信機（操縦室用通信機）
２１Ａ…送受信表示部
２１ａ…送信表示部
２１ｂ…受信表示部
２２…操縦室用カメラ
２３…遠隔操縦用モニタ
２４…映像遅延確認用モニタ
２５…映像遅延時間測定装置
２６…遠隔操縦用コントローラ
３１…映像遅延確認用モニタ２４の映像
【図１】
2016072727.tif 000003
【図２】
2016072727.tif 000004
【図３】
2016072727.tif 000005
【図４】
2016072727.tif 000006